(57)【要約】【課題】本発明の目的は、還流庫が満杯となっても入金取引を続けることができる紙幣取扱装置を提供することにある。【解決手段】本発明は、収納庫の満杯を検出する手段と、数百枚の紙幣を順番に一枚ずつ巻き取ることができる巻き取り式の一時保管庫と、一時保管庫に巻き取られた紙幣の金種情報を一枚ずつ順番に記憶する手段と、記憶した金種情報をもとに一時保管庫から収納庫に紙幣を搬送する手段を備えることにより、収納庫が満杯となった後でも一時保管庫に紙幣を巻き取ることができなくなるまでは入出金取引を続けることができるようにする。【選択図】　図１
2004013365.tif 000002
【特許請求の範囲】
【請求項１】
利用者が紙幣を入出金する入出金口と、紙幣の金種を判別する判別部と、紙幣を一時的に保管する一時保管庫と、紙幣を収納する紙幣収納庫と、紙幣を搬送するための搬送路と、前記入出金口、判別部、一時保管庫、収納庫、搬送路を制御する主制御部と、記憶部とからなる紙幣取扱装置において、収納庫の満杯を検出する手段と、入金紙幣を分類して一時保管庫に保管する手段と、一時保管庫に保管した紙幣の金種を一枚ずつ順番に記憶する手段と、記憶した金種情報をもとに紙幣を収納庫に収納する手段を備えることにより、収納庫が満杯となった後に入金取引を行うことを特徴とする紙幣取扱装置。
【請求項２】
請求項１の紙幣取扱装置において、一時保管庫に紙幣を保管した状態で出金取引を行うことを特徴とする紙幣取扱装置。
【請求項３】
請求項２の紙幣取扱装置において、満杯の収納庫から優先して出金する手段と、満杯の収納庫から出金した紙幣の枚数情報を記憶する手段と、上記の枚数情報をもとに紙幣を一時保管庫から収納庫に搬送する手段を備えることにより、一時保管庫に保管している紙幣を出金取引後に収納庫に収納することを特徴とする紙幣取扱装置。
【発明の詳細な説明】
【０００１】
【発明の属する技術分野】
本発明は紙幣取扱装置にかかり、特に、一時保管庫を備え、紙幣の入出金取引を行う紙幣取扱装置に関する。
【０００２】
【従来の技術】
従来、たとえば金融機関などで使用される紙幣取扱装置として、特開平１１−２２４３６２号公報「紙幣取扱装置」に説明されているように、入出金口、搬送路、判別部、一時保管庫、収納庫を備え、一時保管庫には巻き取り式を採用して紙幣の入出金取引を行う紙幣取扱装置が示されている。
【０００３】
【発明が解決しようとする課題】
前記従来の紙幣取扱装置における入金取引では、紙幣を入出金口から一時保管庫にいったん巻き取り収納庫に収納している。また、収納庫が満杯になると入金取引を行うことはできない。入金取引を行うことができるようになるには、利用者が出金取引を行うことにより収納庫内の紙幣が減るか、係員が収納庫内の紙幣を取り除くしかない。最近では係員がすぐに対応できないような場所に紙幣取扱装置が設置されていることも多い。このような状況では、他の利用者が出金取引を行うまでは入金取引を行うことはできないことになる。
【０００４】
本発明は、収納庫が満杯となった後でも入出金取引を続けることができる紙幣取扱装置を提供することである。
【０００５】
【課題を解決するための手段】
本発明は、上記の課題を解決するために次のような手段を採用した。
【０００６】
収納庫の満杯を検出する手段と、数百枚の紙幣を順番に一枚ずつ巻き取ることができる巻き取り式の一時保管庫と、一時保管庫に巻き取られた紙幣の金種情報を一枚ずつ順番に記憶する手段と、記憶した金種情報をもとに一時保管庫から収納庫に紙幣を搬送する手段を備えることにより、収納庫が満杯となった後でも一時保管庫に紙幣を巻き取ることができなくなるまでは入出金取引を続けることができる紙幣取扱装置とした。
【０００７】
【発明の実施の形態】
以下に本発明の実施形態を図１から図２１を用いて説明する。
【０００８】
図１は本発明の実施形態にかかる紙幣取扱装置を示す図、図２は紙幣取扱装置の制御ブロックを示す図である。これらの図において、１は入出金口、２は装置内の各所に紙幣を搬送する搬送路、３は紙幣の真偽、正損、金種などを判別する判別部、４は紙幣を一時的に巻き取る一時保管庫、５は紙幣を収納するための収納庫、６は紙幣の通過を検知する通過センサ、７は紙幣の搬送方向を切り換えるゲートである。８は収納庫の満杯を検出する満杯センサである。１０１は紙幣取扱装置の上位装置、１０２は本体回線制御部１０１と通信回線で接続するための回線制御部、１０３は搬送路２を駆動する搬送路モータ制御部、１０４は搬送路移動量計数部であり、搬送路２の移動量を計数する。１０５はセンサ制御部であり、紙幣の通過を検出する通過センサ等のセンサを制御する。１０６はゲート制御部であり、通過センサ６の検出信号および搬送路移動量計数部が計数した搬送路２の移動量をもとにゲート７を切り換える。１０７は入出金口を制御する入出金口制御部、１０８は一時保管庫を制御する一時保管庫制御部、１０９は収納庫制御部で各収納庫を制御する。１１０は紙幣の真偽、正損、金種などを判定する判別部、１１１は記憶部、１１２は紙幣取扱装置の各部位を制御する主制御部である。
【０００９】
図３は図１の紙幣取扱装置を搭載する現金自動取引装置を示す図、図４は現金自動取引装置の制御ブロックを示す図である。現金自動取引装置は、通帳を取り扱う通帳処理機構２０１、明細票を発行する明細票発行機構２０２、磁気ストライプカードを取り扱うカード取扱機構２０３、紙幣を入出金する紙幣取扱装置２０４、利用者が操作を行う操作部２０５、これらを制御する本体制御部２０６で構成される。また現金自動取引装置は、通信回線でホストコンピュータ２０７と接続され取引情報などの送受信を行う。
【００１０】
本実施例では、図１に示した紙幣取扱装置は、４個の収納庫５のうち最上段を還流しない紙幣を収納する入金専用のリジェクト庫、残り３個の収納庫を還流する紙幣を収納する還流庫から構成される。また、一時保管庫４はおよそ２００枚の紙幣を巻き取ることができるものとする。取り扱う紙幣をユーロ紙幣７金種（５、１０、２０、５０、１００、２００、５００）とし、３つの還流庫の上段から１０、５０、１００ユーロを割り当てることにする。
【００１１】
利用者により操作部２０５から入金取引が選択された場合について図５から図１１を用いて説明する。
【００１２】
利用者により入金取引が選択されると、本体制御部２０６は紙幣取扱装置２０４に入金指示を送信する。紙幣取扱装置２０４は回線制御部１０２を介して指示を受信する。
【００１３】
ステップ５０１において主制御部１１２は、受信した入金指示により、利用者が紙幣を投入できるように、入出金口制御部１０７に入出金口１を開けるよう指示する。紙幣が投入されたら主制御部１１２は、入出金口制御部１０７に入出金口１の開閉部を閉めるよう指示する。
【００１４】
ステップ５０２において主制御部１１２は、満杯状態の還流庫があるかチェックする。
【００１５】
満杯状態の還流庫がない場合、入出金口１に投入された紙幣をリジェクト紙幣（入金できない紙幣）とそれ以外の紙幣に振り分けるため、ステップ５０８において主制御部１１２は、搬送路２を入金方向に駆動するよう搬送路モータ制御部１０３に指示し、入出金口１から紙幣を一枚ずつ繰り出すよう入出金口制御部１０７に指示する。紙幣が判別部３を通過すると、判別部３は紙幣の真偽、正損、金種を判別し、判別結果を主制御部１１２に報告する。主制御部１１２は、判別部３の判別結果に基づき、リジェクト紙幣は入出金口１、それ以外の紙幣は一時保管庫４に振り分けるようゲート制御部１０６に指示する。入金された全ての紙幣をリジェクト紙幣とそれ以外に振り分け終えたら、主制御部１１２は、搬送路モータ制御部１０３に搬送路２を停止するよう指示する。
【００１６】
ステップ５０９において主制御部１１２は、リジェクト紙幣があったか判定する。
【００１７】
リジェクト紙幣があった場合は、利用者にリジェクト紙幣を返却するため、ステップ５１０において主制御部１１２は、入出金口制御部１０７に入出金口１を開けるよう指示する。紙幣が利用者によって取り出されたら、主制御部１１２は、入出金口制御部１０７に入出金口１を閉じるよう指示する。
【００１８】
リジェクト紙幣がなかった場合あるいはリジェクト紙幣を返却し終えたら、一時保管庫４に巻き取られた紙幣を収納庫に収納するため、ステップ５１２において主制御部１１２は、搬送路モータ制御部１０３に収納方向に搬送路２を駆動、一時保管庫制御部１０８に一時保管庫４から紙幣を繰り出すよう指示する。主制御部１１２は、搬送路移動量計数部１０４から報告される搬送路２の移動量、およびセンサ制御部１０５から報告されるセンサ情報から紙幣の搬送状況を監視し、該当する収納先に紙幣を収納するようゲート制御部１０６に指示する。一時保管庫４に巻き取られていた紙幣をすべて還流庫あるいはリジェクト庫に収納し終えたら、主制御部１１２は、搬送路モータ制御部１０３に搬送路２を停止するよう指示する。
【００１９】
ステップ５１４において主制御部１１２は、回線制御部１０２を介して入金処理の結果を本体制御部２０６に報告し、入金取引を終了する。
【００２０】
満杯状態の還流庫がある場合、例えば１０ユーロ庫の満杯を検出したとすると、入出金口１に投入された紙幣を図６のように１０ユーロ紙幣とそれ以外の紙幣に振り分けるため、ステップ５０３において主制御部１１２は、判別部３の判別結果に基づき、紙幣の金種が１０ユーロの紙幣は一時保管庫４、それ以外の紙幣は入出金口１に振り分けるようゲート制御部１０６に指示する。図６の場合、紙幣が判別部３を通過する毎に、判別部３から主制御部１１２に１００ユーロ、５０ユーロ、不明、１０ユーロ、１０ユーロ、１０ユーロ、２０ユーロの順に判別結果が報告され、投入された紙幣が１０ユーロ紙幣とそれ以外の紙幣に振り分けられたことを示している。主制御部１１２は、一時保管庫に紙幣を巻き取る毎に、図７のように巻き取った紙幣の金種情報を一時保管庫金種情報記憶領域に記憶し、金種情報記憶位置を更新する。入金された紙幣を１０ユーロ紙幣とそれ以外の紙幣に振り分け終えたら、主制御部１１２は、搬送路モータ制御部１０３に搬送路２を停止するよう指示する。
【００２１】
紙幣の振り分け中に一時保管庫４が満杯となってしまった場合は、これ以上紙幣を入金するこができないので、ステップ５０５において入金された紙幣をすべて利用者に返却し、入金取引できない旨を利用者に知らせる。
【００２２】
ステップ５０６において主制御部１１２は、入出金口１に搬送された１０ユーロ以外の紙幣があるか判定する。
【００２３】
入出金口１に１０ユーロ以外の紙幣がある場合、利用者にいったん紙幣を取り出して再度投入してもらうため、ステップ５０７において主制御部１１２は、入出金口制御部１０７に入出金口１を開けるよう指示し、紙幣が投入されたら、主制御部１１２は、入出金口制御部１０７に入出金口１を閉じるよう指示する。
【００２４】
再投入された紙幣を図８のようにリジェクト紙幣とそれ以外に振り分けるため、ステップ５０８において主制御部１１２は、搬送路モータ制御部１０３に搬送路２を入金方向に駆動、入出金口制御部１０７に入出金口１から紙幣を一枚ずつ繰り出すよう指示する。主制御部１１２は、判別部３の判別結果に基づき、リジェクト紙幣は入出金口１、それ以外の紙幣は一時保管庫４に振り分けるようゲート制御部１０６に指示する。図８の場合、判別部３から１００ユーロ、５０ユーロ、不明、２０ユーロの順で主制御部１１２に判別結果が報告され、再投入された紙幣がリジェクト紙幣とそれ以外の紙幣に振り分けられたことを示している。主制御部１１２は、一時保管庫４に紙幣を巻き取る毎に、図９のように紙幣の金種情報を一時保管庫金種情報記憶領域に記憶していく。図９では１回目の満杯金種振り分け搬送で１０ユーロ３枚が一時保管庫４に巻き取られ、２回目のリジェクト紙幣振り分け搬送で１００ユーロ１枚、５０ユーロ１枚、２０ユーロ１枚が一時保管庫４に巻き取られたことを示している。紙幣を振り分け終えたら、主制御部１１２は、搬送路モータ制御部１０３に搬送路２を停止するよう指示する。
【００２５】
リジェクト紙幣があった場合は、満杯の還流庫がないときと同様にして利用者にリジェクト紙幣を返却する。
【００２６】
図１０のように満杯金種（１０ユーロ）以外の紙幣を収納庫５に収納するため、ステップ５１３において主制御部１１２は、搬送路モータ制御部１０３に収納方向に搬送路２を駆動させるよう指示する。主制御部１１２は、一時保管庫金種情報記憶領域に記憶した情報に基づき、一時保管庫制御部１０８に満杯金種（１０ユーロ）以外の紙幣を繰り出すよう指示する。主制御部１１２は、一時保管庫４から紙幣が繰り出しされる毎に、図１１のように一時保管庫金種情報記憶領域の金種情報記憶位置を更新する。満杯金種（１０ユーロ）以外の紙幣を収納し終えたら、主制御部１１２は、搬送路モータ制御部１０３に搬送路２を停止するよう指示する。
【００２７】
ステップ５１４において主制御部１１２は、回線制御部１０２を介して入金処理の結果を本体制御部２０６に報告し、入金取引を終了する。
本実施例では１０ユーロ紙幣を一時保管庫４に巻き取られた状態で次の取引を行うことになる。
【００２８】
利用者により操作部２０５から出金取引が選択された場合について図１２から図１８を用いて説明する。
【００２９】
利用者により出金取引が選択されると、本体制御部２０６は紙幣取扱装置２０４に出金指示を送信する。紙幣取扱装置２０４は回線制御部１０２を介して指示を受信する。
【００３０】
ステップ７０１において主制御部１１２は、満杯状態の還流庫があるかチェックする。
【００３１】
満杯状態の還流庫がない場合、ステップ７０２において主制御部１１２は、搬送路２を出金方向に駆動するよう搬送路モータ制御部１０３に指示した後、利用者が指定した金額に従い、それぞれの還流庫から繰り出す紙幣の枚数を収納庫制御部１０９に指示する。例えば利用者によって出金金額を５０ユーロと指定された場合は、５０ユーロ庫から１枚繰り出すよう指示する。還流庫から入出金口１に紙幣を搬送する際、判別部３においてリジェクト紙幣（出金できない紙幣）と判定された紙幣は一時保管庫４に搬送する。利用者が指定した金額になるまで紙幣を入出金口１に搬送し終えたら、主制御部１１２は、搬送路モータ制御部１０３に搬送路２を停止するよう指示する。一時保管庫４にリジェクト紙幣がある場合は、リジェクト紙幣を一時保管庫４からリジェクト庫に搬送するため、主制御部１１２は、搬送路モータ制御部１０３に搬送路２を収納方向に駆動、一時保管庫制御部１０８にリジェクト紙幣がなくなるまで紙幣を繰り出すよう、収納庫制御部１０９に紙幣を収納するよう指示する。
【００３２】
満杯状態の還流庫がある場合、ステップ７０３において主制御部１１２は、搬送路２を出金方向に駆動するよう搬送路モータ制御部１０３に指示した後、満杯状態の還流庫を優先繰り出す紙幣の枚数を決め、収納庫制御部１０９に繰り出し枚数を指示する。例えば図１３のように１０ユーロ庫が満杯状態のとき、利用者によって出金金額を５０ユーロと指定された場合、主制御部１１２は、収納庫制御部１０９に１０ユーロ庫から紙幣を５枚繰り出すよう指示する。
【００３３】
還流庫から紙幣が繰り出される毎に、主制御部１１２は、満杯状態の還流庫から繰り出した枚数を計数し、図１４のように満杯還流庫出金枚数記憶領域に計数結果を記憶する。判別部３においてリジェクト紙幣と判定された紙幣は一時保管庫４に搬送される。このとき主制御部１１２は、図１５のように一時保管庫に巻き取られたリジェクト紙幣情報を一時保管庫金種情報記憶領域に記憶する。
【００３４】
利用者が指定した金額分の紙幣を入出金口に搬送し終えたら、主制御部１１２は、搬送路モータ制御部１０３に搬送路２を停止するよう指示する。
【００３５】
図１３では入出金口１に紙幣を５枚搬送する間に１枚リジェクト紙幣が発生したことを示している。図１３のようにリジェクト紙幣が一時保管庫４にある場合、リジェクト紙幣をリジェクト庫に収納するため、主制御部１１２は、搬送路モータ制御部１０３に搬送路２を収納方向に駆動するよう、記憶した一時保管庫金種情報に基づき一時保管庫制御部１０８にリジェクト紙幣がなくなるまで紙幣を繰り出すよう、収納庫制御部１０９に搬送されてくる紙幣をリジェクト庫に収納するよう指示する。一時保管庫からリジェクト紙幣が繰り出される毎に、主制御部１１２は、図１５のように一時保管庫金種情報記憶領域を更新する。
【００３６】
ステップ７０４において主制御部１１２は、入出金口制御部１０７に入出金口１を開けるよう指示する。紙幣が利用者によって取り出されたら、主制御部１１２は、入出金口制御部１０７に入出金口１を閉じるよう指示する。
【００３７】
ステップ７０５において主制御部１１２は、回線制御部１０２を介して出金処理の結果を本体制御部２０６に報告する。
【００３８】
ステップ７０６において主制御部１１２は、一時保管庫４に紙幣があるかチェックし、紙幣がなければ処理を終了し、紙幣がある場合は一時保管庫金種情報記憶領域の金種情報記憶位置の金種が割り当てられた還流庫の満杯還流庫出金枚数記憶領域を参照する。
【００３９】
ステップ７０７において主制御部１１２は、記憶した出金枚数が０枚かチェックする。出金枚数が０枚でなければ、図１６のように一時保管庫にある紙幣を収納するため、ステップ７０８において主制御部１１２は、一時保管庫制御部１０８に紙幣を１枚繰り出すように指示する。紙幣が繰り出される毎に、主制御部１１２は、図１７のように一時保管庫金種情報記憶領域の金種情報記憶位置を１減算する。主制御部１１２は、紙幣が１０ユーロ庫に収納されたら、図１８のように満杯還流庫出金枚数記憶領域の１０ユーロ庫の枚数を１減算する。主制御部１１２は、一時保管庫４から収納庫５に搬送できなくなるまでこれを繰り返す。収納搬送が終了した後、主制御部１１２は、還流庫の満杯チェックを行い、満杯でなければ図１８のように満杯還流庫出金枚数記憶領域の出金枚数をクリアして処理を終了する。
【００４０】
本実施例では１０ユーロ庫から５枚紙幣が繰り出されたので、一時保管庫４に収納されている３枚の１０ユーロ紙幣は、すべて１０ユーロ庫に収納される。一時保管庫４に収納されている１０ユーロ紙幣の枚数が出金枚数より多く、すべて１０ユーロ庫に収納できなかった場合は、一時保管庫４に紙幣を残した状態で次の取引を受け付けることになる。
【００４１】
入金取引の第２の実施例を図１９から図２１を用いて説明する。
【００４２】
図１９のように１回目の搬送で、入金紙幣のうち満杯となっている還流庫に割り当てられた金種の紙幣およびリジェクト紙幣を入出金口１、それ以外の収納可能な紙幣を一時保管庫４に搬送する。
【００４３】
次に図２０のように一時保管庫４に収納した紙幣を各収納庫に搬送する。入出金口１にある紙幣は、いったん利用者に返却してから再度入金してもらう。
【００４４】
利用者により再度紙幣が入金されたら、図２１のように再度入金された紙幣のうちリジェクト紙幣は入出金口１、満杯となっている還流庫に割り当てられた金種の紙幣を一時保管庫４に搬送する。このとき、他の金種の紙幣を検出した場合は、その紙幣、および一時保管庫４に収納した満杯となっている還流庫に割り当てられた金種の紙幣を入出金口１へ搬送し、いったん利用者に返却してから図１９で示した搬送を再度行うようにする。入出金口１に搬送されたリジェクト紙幣を利用者に返却して入金取引を終了する。
【００４５】
以上のようにすれば、還流庫が満杯となっても一時保管庫４に紙幣を巻き取った状態で入出金取引を行うことができ、一時保管庫４に紙幣を巻き取ることができなくなるまでは、入金取引を受け付けることができる。
【００４６】
【発明の効果】
本発明によれば、一時保管庫に紙幣を巻き取ったまま入出金取引を行うので、還流庫が満杯となった後でも入出金取引を続けることができ、利用者に対するサービス向上を図ることができる。
【図面の簡単な説明】
【図１】本発明の実施形態にかかる紙幣取扱装置の概略を示す図である。
【図２】紙幣取扱装置の制御ブロックを示す図である。
【図３】現金自動取引装置の概観を示す図である。
【図４】現金自動取引装置の制御ブロックを示す図である。
【図５】入金取引時の処理を示すフローチャートである。
【図６】満杯還流庫があるときの満杯金種紙幣区分搬送を示す図である。
【図７】満杯金種紙幣区分搬送時の一時保管庫金種情報記憶領域を示す図である。
【図８】満杯還流庫があるときのリジェクト紙幣区分搬送を示す図である。
【図９】リジェクト紙幣区分搬送時の一時保管庫金種情報記憶領域を示す図である。
【図１０】満杯還流庫があるときの紙幣収納搬送を示す図である。
【図１１】紙幣収納搬送時の一時保管庫金種情報記憶領域を示す図である。
【図１２】出金取引時の処理を示すフローチャートである。
【図１３】満杯還流庫があるときの出金搬送を示す図である。
【図１４】出金搬送後の満杯還流庫出金枚数記憶領域を示す図である。
【図１５】出金搬送時の一時保管庫金種情報記憶領域を示す図である。
【図１６】出金取引後の満杯金種紙幣収納搬送を示す図である。
【図１７】満杯金種紙幣収納搬送時の一時保管庫金種情報記憶領域を示す図である。
【図１８】満杯金種紙幣収納搬送後の満杯還流庫出金枚数記憶領域を示す図である。
【図１９】満杯還流庫があるときの収納可能紙幣区分搬送を示す図である。
【図２０】満杯還流庫があるときの紙幣収納搬送を示す図である。
【図２１】満杯還流庫があるときの満杯金種紙幣区分搬送を示す図である。
【符号の説明】
１…入出金口、２…搬送路、３…判別部、４…一時保管庫、５…収納庫、６…通過センサ、７…ゲート、８…満杯センサ、１０１…上位装置、１０２…上位回線制御部、１０３…搬送路モータ制御部、１０４…搬送路移動量計数部、１０５…センサ制御部、１０６…ゲート制御部、１０７…入出金口制御部、１０８…一時保管庫制御部、１０９…収納庫制御部、１１０…判別部、１１１…記憶部、１１２…主制御部、２０１…通帳処理機構、２０２…カード取扱機構、２０３…明細票発行機構、２０４…紙幣取扱装置、２０５…操作部、２０６…本体制御部、２０７…ホストコンピュータ。
【図１】
2004013365.tif 000003
【図２】
2004013365.tif 000004
【図３】
2004013365.tif 000005
【図４】
2004013365.tif 000006
【図５】
2004013365.tif 000007
【図６】
2004013365.tif 000008
【図７】
2004013365.tif 000009
【図８】
2004013365.tif 000010
【図９】
2004013365.tif 000011
【図１０】
2004013365.tif 000012
【図１１】
2004013365.tif 000013
【図１２】
2004013365.tif 000014
【図１３】
2004013365.tif 000015
【図１４】
2004013365.tif 000016
【図１５】
2004013365.tif 000017
【図１６】
2004013365.tif 000018
【図１７】
2004013365.tif 000019
【図１８】
2004013365.tif 000020
【図１９】
2004013365.tif 000021
【図２０】
2004013365.tif 000022
【図２１】
2004013365.tif 000023